(57)【要約】【課題】　すべての方向で、容易に使用することができる冷蔵庫を供給すること。【解決手段】　冷蔵庫において、貯蔵室に冷気を供給するための冷気発生部と；相互に上下に積層され、それぞれに前記貯蔵室が形成された上部及び下部キャビネットと；前記上部キャビネット及び下部キャビネットをそれぞれ回転できるように支持する回転軸部と；を含むことを特徴とする。【選択図】　図１
2004085188.tif 000002
【特許請求の範囲】
【請求項１】
　冷蔵庫において、
　貯蔵室に冷気を供給するための冷気発生部と；
　相互に上下に積層され、それぞれに前記貯蔵室が形成された上部及び下部キャビネットと；
　前記上部キャビネット及び下部キャビネットをそれぞれ回転できるように支持する回転軸部と；
を含むことを特徴とする冷蔵庫。
【請求項２】
　前記上部キャビネットの上面に設けられるテーブル部材をさらに含むことを特徴とする請求項１に記載の冷蔵庫。
【請求項３】
　前記テーブル部材は、前記上部キャビネットに対して回転できるように設けられることを特徴とする請求項２に記載の冷蔵庫。
【請求項４】
　前記テーブル部材は、前記回転軸部に回転できるように結合されることを特徴とする請求項３に記載の冷蔵庫。
【請求項５】
　前記下部キャビネットの下部に配置されて前記回転軸部を支持するベース部材をさらに含むことを特徴とする請求項４に記載の冷蔵庫。
【請求項６】
　前記冷気発生部は、前記ベース部材の内部に設けられ、
　前記回転軸部は、前記冷気発生部と連通され、前記それぞれのキャビネットの貯蔵室内部まで延長されて、前記冷気発生部から発生された冷気を前記それぞれの貯蔵室に供給する冷気供給路と、前記それぞれの貯蔵室の冷気を前記冷気発生部に流出する冷気排出路と、を含むことを特徴とする請求項５に記載の冷蔵庫。
【請求項７】
　前記回転軸部は、第１中空管と前記第１中空管から間隔をおいて外側に設けられた第２中空管とを含み、
　前記冷気供給路及び前記冷気排出路の中のいずれか一つは、前記第１中空管の内側に形成され、他の一つは、前記第１中空管及び前記第２中空管の間に形成されることを特徴とする請求項６に記載の冷蔵庫。
【請求項８】
　前記回転軸部は、前記第１中空管から前記第２中空管を通じて、前記各貯蔵室に連通形成された冷気供給口と；
　前記第２中空管の側壁に形成された冷気排出口とをさらに含むことを特徴とする請求項７に記載の冷蔵庫。
【請求項９】
　前記上部キャビネットの上面には、内部の透視のための透視窓が設けられ、
　前記テーブルの部材は、前記透視窓を通じて前記上部キャビネットの内部を見ることができるように設けられたことを特徴とする請求項２に記載の冷蔵庫。
【請求項１０】
　前記ベース部材を転がり移動できるように支持する複数のローラーをさらに含むことを特徴とする請求項５に記載の冷蔵庫。
【請求項１１】
　前記上部キャビネットと下部キャビネットとの間に介される少なくとも一つの中間キャビネットをさらに含むことを特徴とする請求項１または１０に記載の冷蔵庫。
【請求項１２】
　前記冷気発生部は、前記キャビネットの中で少なくともいずれか一つに設けられる熱伝半導体素子を含むことを特徴とする請求項１に記載の冷蔵庫。
【請求項１３】
　冷蔵庫において、
　貯蔵室に冷気を供給する冷気発生部と；
　前記貯蔵室が形成されたキャビネットと；
　前記キャビネットを回転できるように連結する回転軸部と；
　前記キャビネットの上面に設けられるテーブル部材と；
　前記キャビネットを転がり移動できるように支持する複数のローラーと；
を含むことを特徴とする冷蔵庫。
【請求項１４】
　前記キャビネットと前記ローラーとの間に介されるベース部材をさらに含むことを特徴とする請求項１３に記載の冷蔵庫。
【請求項１５】
　前記テーブル部材は、前記キャビネットに対して回転できるように設けられることを特徴とする請求項１４に記載の冷蔵庫。
【請求項１６】
　前記冷気発生部は、前記ベース部材の内部に設けられ、
　前記回転軸部は、前記冷気発生部と連通され、前記それぞれのキャビネットの貯蔵室内部まで延長されて、前記冷気発生部から発生された冷気を前記それぞれの貯蔵室に供給する冷気供給路と、前記それぞれの貯蔵室の冷気を前記冷気発生部に流出する冷気排出路と、を含むことを特徴とする請求項１５に記載の冷蔵庫。
【請求項１７】
　前記キャビネットの上面には、内部の透視のための透視窓が設けられ、
　前記テーブルの部材は、前記透視窓を通じて前記キャビネットの内部を見ることができるように設けられていることを特徴とする請求項１３に記載の冷蔵庫。
【請求項１８】
　前記冷気発生部は、前記キャビネットに設けられる冷却加熱素子を含むことを特徴とする請求項１３に記載の冷蔵庫。
【発明の詳細な説明】
【技術分野】
【０００１】
　本発明は、冷蔵庫に係り、より詳細には、貯蔵室が回転できるように構造を改善した冷蔵庫に関する。
【背景技術】
【０００２】
一般に、冷蔵庫は、冷凍室や冷蔵室のような貯蔵室が形成されたキャビネットと、キャビネットの内部に設けられて冷気を発生させる冷気発生部と、貯蔵室を開閉するドアと、を含む。
【０００３】
　冷気発生部は、主に圧縮機及び蒸発器等から構成された冷凍サイクルにより冷気を発生させる方法と、ペルチェ素子等の冷却加熱素子を利用して冷気を発生させる方法と、に分かれる。
【０００４】
　冷凍サイクルは、気体状態の冷媒を高温高圧に圧縮する圧縮機と、圧縮機から圧縮された気体状態の冷媒を液体状態に凝縮する凝縮器と、液化された冷媒を低温低圧の状態に変換させる毛細管と、毛細管から低温低圧に液化された冷媒を気化させるために蒸発残熱を吸収することにより、周りの空気を冷却させる蒸発器と、から構成される。
【０００５】
　冷却加熱素子は、電流を熱に変換する抵抗体として、電流の強さと方向により吸熱と発熱の量と方向を調節することができ、機械的に作動する部分がなくて設置空間を広く占めなくて、騒音が発生しないという長所がある。
【０００６】
　このような冷蔵庫は、飲食物等を保管することができるだけでなく、最近には車に付着される車用冷蔵庫及び化粧品用冷蔵庫のように特殊な目的のため製作及び使用されている。
【０００７】
　しかし、このような従来の冷蔵庫は、貯蔵室を開閉するドアが定まった方向だけに形成されているので、他の方向で冷蔵庫を使用することが不便という問題がある。
【０００８】
　また、従来の冷蔵庫は、台所や車のように定まった場所に設けられて移動が容易でないだけでなく、冷蔵庫の上面を効果的に活用し難いという問題がある。
【発明の開示】
【発明が解決しようとする課題】
【０００９】
　本発明の目的は、前述した問題点を解決するため、すべての方向で、容易に使用することができる冷蔵庫を提供することである。
【００１０】
　また、本発明の他の目的は、移動が容易だけでなく、テーブルとしても活用することができる冷蔵庫を提供することである。
【課題を解決するための手段】
【００１１】
　上記目的を達成するための本発明の冷蔵庫は、貯蔵室に冷気を供給するための冷気発生部と；相互に上下に積層され、それぞれに前記貯蔵室が形成された上部及び下部キャビネットと；前記上部キャビネット及び下部キャビネットをそれぞれ回転できるように支持する回転軸部と；を含むことを特徴とする。
【００１２】
　ここで、前記上部キャビネットの上面に設けられるテーブル部材をさらに含むことが好ましい。
【００１３】
　前記テーブル部材は、前記上部キャビネットに対して回転できるように設けられ、前記テーブル部材は、前記回転軸部に回転できるように結合されることが好ましい。
【００１４】
　前記下部キャビネットの下部に配置されて前記回転軸部を支持するベース部材をさらに含むことが好ましい。
【００１５】
　前記冷気発生部は、前記ベース部材の内部に設けられ、前記回転軸部は、前記冷気発生部と連通され、前記それぞれのキャビネットの貯蔵室内部まで延長されて、前記冷気発生部から発生された冷気を前記それぞれの貯蔵室に供給する冷気供給路と、前記それぞれの貯蔵室の冷気を前記冷気発生部に流出する冷気排出路と、を含むことが好ましい。
【００１６】
　前記回転軸部は、第１中空管と前記第１中空管から間隔をおいて外側に設けられた第２中空管とを含み、前記冷気供給路及び前記冷気排出路の中のいずれか一つは、前記第１中空管の内側に形成され、他の一つは、前記第１中空管及び前記第２中空管の間に形成されることが好ましい。
【００１７】
　前記回転軸部は、前記第１中空管から前記第２中空管を通じて、前記各貯蔵室に連通形成された冷気供給口と；前記第２中空管の側壁に形成された冷気排出口とをさらに含むことが好ましい。
【００１８】
　前記上部キャビネットの上面には、内部の透視のための透視窓が設けられ、前記テーブルの部材は、前記透視窓を通じて前記上部キャビネットの内部を見ることができるように設けられることが好ましい。
【００１９】
　前記ベース部材を転がり移動できるように支持する複数のローラーをさらに含むことが好ましい。
【００２０】
　前記上部キャビネットと下部キャビネットとの間に介される少なくとも一つの中間キャビネットをさらに含むことが好ましい。
【００２１】
　前記冷気発生部は、前記キャビネットの中で少なくともいずれか一つに設けられる冷却加熱素子を含むことが好ましい。
【００２２】
　本発明の他の目的の達成のための冷蔵庫は、貯蔵室に冷気を供給する冷気発生部と；前記貯蔵室が形成されたキャビネットと；前記キャビネットを回転できるように連結する回転軸部と；前記キャビネットの上面に設けられるテーブル部材と；前記キャビネットを転がり移動できるように支持する複数のローラーと；を含むことを特徴とする。
【００２３】
ここで、前記キャビネットと前記ローラーとの間に介されるベース部材をさらに含むことが好ましい。
【００２４】
　前記テーブル部材は、前記キャビネットに対して回転できるように設けられることが好ましい。
【００２５】
　前記冷気発生部は、前記ベース部材の内部に設けられ、前記回転軸部は、前記冷気発生部と連通され、前記それぞれのキャビネットの貯蔵室内部まで延長されて、前記冷気発生部から発生された冷気を前記それぞれの貯蔵室に供給する冷気供給路と、前記それぞれの貯蔵室の冷気を前記冷気発生部に流出する冷気排出路と、を含むことが好ましい。
【００２６】
　前記キャビネットの上面には、内部の透視のための透視窓が設けられ、前記テーブルの部材は、前記透視窓を通じて前記キャビネットの内部を見ることができるように設けられていることが好ましい。
【００２７】
　また、前記冷気発生部は、前記キャビネットに設けられる熱伝半導体素子を含むことが好ましい。
【発明の効果】
【００２８】
　前述したように、本発明によると、貯蔵室に収容された製品をすべての方向で、容易に使用することができる。また、ベース部材にローラーを装着することにより、移動が容易だけでなく、上部キャビネットの上側にテーブル部材を設けることにより、テーブル用としても活用することができる。
【発明を実施するための最良の形態】
【００２９】
　以下、添付した図面を参照して、本発明に対して詳細に説明する。
【００３０】
　図１乃至図４に示すように、本発明の第１実施形態による冷蔵庫１は、飲食物及び生活用品のような物品を貯蔵することができるように冷凍室や冷蔵室と使用することができる貯蔵室１１が形成され、相互に上下に積層される上部キャビネット１０及び下部キャビネット２０と、上部及び下部キャビネット１０、２０を相対回転できるように連結する回転軸部５０と、上部キャビネット１０の上面に設けられたテーブル部材４０と、下部キャビネットの下部に配置されるベース部材３０と、ベース部材３０に設けられて貯蔵室１１に冷気を供給する冷気発生部６０と、を含む。
【００３１】
　上部及び下部キャビネット１０、２０は、円筒形状からなり、その側面には貯蔵室１１を回動開閉するドア１２が設けられる。また、上部及び下部キャビネット１０、２０の上面と下面の中央には、上下方向に貫通形成されて回転軸部５０を収容する回転軸収容部１４が設けられる。また、上部キャビネット１０の上面には、上部キャビネット１０の貯蔵室１１の内部を透視することができるように透視窓１６が形成される。
【００３２】
回転軸収容部１４の内周面には、回転軸部５０と結合されて回転を容易にするためのベアリング５８とブシュ５９が結合される。
【００３３】
　回転軸部５０は、上部及び下部キャビネット１０、２０を回転できるように上部及び下部キャビネット１０、２０の回転軸収容部１４に挿入され、その上端にはテーブル部材４０が回転できるように結合され、その下端はベース部材３０の上面と結合される。
【００３４】
　また、回転軸部５０は、ベース部材３０に設けられた冷気発生部６０と貫通され、上部及び下部キャビネット１０、２０の貯蔵室１１の内部まで延長された中空の円形パイプ形状からなった第１中空管５１と、第１中空管５１から間隔をおいて外側に設けられた第２中空管５５と、を含む。また、回転軸部５０には、冷気発生部６０から発生された冷気を各貯蔵室１１に供給する冷気供給路５２と、各貯蔵室１１の冷気を冷気発生部６０に流出する冷気排出路５６と、が設けられる。
【００３５】
　冷気供給路５２は第１中空管５１の内側領域であり、冷気排出路５６は第１中空管５１と第２中空管５５との間の領域である。また、冷気発生部６０から冷気供給部５２に供給された冷気がそれぞれの貯蔵室１１に供給されるために第１中空管５１から第２中空管５５を貫通して各貯蔵室１１に貫通形成された多くの暦供給部５３が設けられる。また、各貯蔵室１１の冷気を冷気排出路５６を通じて冷気発生部６０に流出することができるように、第２中空管５５の側壁に貫通形成された多くの冷気排出口５７が設けられる。
【００３６】
　これにより、冷気発生部６０から冷却ファン６１により冷気供給路５２に供給された冷気が多くの冷気供給口５３を通じて各貯蔵室１１に供給される。また、各貯蔵室１１で飲食物等を冷却させた冷気は、多くの冷気排出口５７に流入されて冷気排出口５６を通じてさらに冷気発生部６０に流出されて循環できるようになる。
【００３７】
　テーブル部材４０は、上部キャビネット１０の上面より広く円形の板形状に設けられ、板面の下面の中央には回転軸部５０の上端と回転できるように結合するための回転軸結合部４１が形成される。これにより、テーブル部材４０は、上部キャビネット１０の上面に突出される回転軸部５０の上端に回転できるように結合される。また、このようなテーブル部材４０は、透明に形成されて上部キャビネット１０の上面に設けられた透視窓１６を通じて貯蔵室１１の内部に貯蔵された物品を見ることができるように設けられる。
【００３８】
　ベース部材３０は、上部及び下部キャビネット１０、２０のように円筒形状に設けられて下部キャビネット２０の下面に配置され、その上面は回転軸部５０の下端と結合される。また、このようなベース部材３０は、上部及び下部キャビネット１０、２０とテーブル部材４０とを回転軸部５０を通じて支持し、ベース部材３０の内部には上部及び下部キャビネット１０、２０に冷気を供給するための冷気発生部６０が設けられる。また、ベース部材３０の下面には、冷蔵庫１の移動性を容易にするために転がり移動できるように支持する複数のローラー３１が設けられる。
【００３９】
　冷気発生部６０は、ベース部材３０内に設けられた圧縮機６５及び蒸発器６３等を含む。また、このような圧縮機６５及び蒸発器６３等から構成された冷凍サイクルにより発生される冷気は、冷却ファン６１を利用して回転軸部５０の第１中空管５１により形成された冷気供給路５２を通じて上部及び下部キャビネット１０、２０の貯蔵室１１に供給される（図３参照）。また、冷却ファン６１が蒸発器６３の周りの冷気を容易に第１中空管５１に送風するために第１中空管５１の下側から冷却ファン６１の側面に延長形成された冷気ガイド部６９が設けられる。また、冷気発生部６０の蒸発器６３の周りには、各貯蔵室１１に供給される各貯蔵室１１から排出された冷気の漏出及び断熱のための断熱部材６７が設けられる。
【００４０】
　このような構成により、本発明の第１実施形態による冷蔵庫１の結合過程を見ると次の通りである。まず、冷気発生部６０とローラー３１が設けられたベース部材３０の上面に第１中空管５１及び第２中空管５５から形成された回転軸部５０をスクリュー結合（図示せず）のような方法で結合する。ここで、ベース部材３０と回転軸部５０は、一体形に制作されることもでき、接着済で結合することもできる。また、下部及び上部キャビネット１０、２０の回転軸収容部１４にベアリングとブシュ５９を結合した後、回転軸部５０に挿入する。また、テーブル部材４０の回転軸結合部４１を上部キャビネット１０の上面に突出された回転軸部５０の上端に結合してテーブル部材４０を回転軸部５０の上端に回転できるように結合することにより、第１実施形態による冷蔵庫１の結合過程が完了される。
【００４１】
　これにより、本発明の第１実施形態による冷蔵庫１は、ベース部材３０の下面に設けられたローラー３１により容易に移動し、透明なテーブル部材４０と上部キャビネット１０の透視窓１６を通じて貯蔵室１１に貯蔵された物品を容易に見ることができるだけでなく、貯蔵室１１が設けられた上部及び下部キャビネット１０、２０が回転できるように設置されるので、ユーザーがすべての方向で貯蔵室１１に収容された物品を容易に使用することができる。また、このような冷蔵庫１は、上部キャビネット１０の上面に回動できるようなテーブル部材４０を設けることにより、居間のように人が集まる場所に配置してテーブル用としても使用することができる。
【００４２】
　図５は、本発明の第２実施形態による冷蔵庫の斜視図である。この図面に示すように、第２実施形態による冷蔵庫１ａは、前述した第１実施形態と異なりに上部キャビネット１０と下部キャビネット２０との間に中間キャビネット８０をさらに含む。
【００４３】
　中間キャビネット８０は、下部キャビネット２０と同一の構成を有し、このような中間キャビネット８０を複数設けることもできる。
【００４４】
　このような構成により、本発明の第２実施形態は本発明の目的を達成することができ、第１実施形態の冷蔵庫よりもさらに多くの貯蔵室を確保することができるという効果がある。
【００４５】
　図７は本発明の第４実施形態による冷蔵庫の断面図である。この図面に示すように、第４実施形態による冷蔵庫１ｃは、前述した実施形態によるベース部材３０に設けられた冷気発生部６０、６０ａと、回転軸部５０の冷気供給路５２及び冷気排出路５５と、冷気供給口５３及び冷気排出口５７と、は設けられていない。また、各貯蔵室１１に供給される冷気を発生させる手段として上部キャビネット１０及び下部キャビネット２０のそれぞれに冷気発生部６０ｂを設けており、回転軸部５０は、ただ上部キャビネット１０及び下部キャビネット２０の回転を支持する役割をする。
【００４６】
　冷気発生部６０ｂは、前述した第３実施形態のように、冷却加熱素子７０ａと、冷却加熱素子７０ａを間において内側に設けられるコールドシンク７１ａと、その外側に設けられるヒートシンク７３ａと、を含む。また、コールドシンク７１ａの内側には、コールドシンク７１ａにより冷却された冷気を貯蔵室１１に供給するための第１冷却ファン７２ａが設けられる。また、ヒートシンク７３ａの外側には、ヒートシンク７３ａを冷却させるためのヒートシンク７３ａの周りの空気を各キャビネット１０、２０の外部に流出させるように、第２冷却ファン７４ａが設けられる。また、第１冷却ファン７２ａの内側には、貯蔵室１１と冷気発生部６０ｂを分離するための遮断壁６８が設けられ、遮断壁６８には第１冷却ファン７２ａにより冷気が貯蔵室１１に排出されるように冷気排出口５３ａが設けられる。また、第２冷却ファン７４ａの外側に設けられた各キャビネット１０、２０の側壁には外部空気との循環のための多くの貫通孔７５ａが設けられる。また、各キャビネット１０、２０に設けられた冷気発生部６０ｂは、個別的に作動及び温度制御ができるように設けられる。
【００４７】
　これにより、本発明の第４実施形態による冷蔵庫は、各キャビネットに冷気発生部を別途に設けて、個別的に作動及び温度制御をできるようにして、必要に応じて貯蔵室を選択して使用することができ、各貯蔵室の温度を別途に設定して使用することができる。
【００４８】
　このような構成により、本発明の第４実施形態は、本発明の目的を達成することができ、別途のベース部材を設ける必要がなくて、前述した実施形態による冷蔵庫よりその構造が簡単だけでなく、それぞれの貯蔵室の個別的な温度設定及び使用有無を選択することができる。
【００４９】
　前述した実施形態では、テーブル部材４０が上部キャビネット１０の上側に突出される回転軸部５０の上端と結合されるように構成されるが、テーブル部材が上部キャビネットの上面に一体に結合されることもできるので、上部キャビネットの上面をテーブル部材として設けることもできる。
【００５０】
　前述した実施形態では、上部及び下部キャビネット１０、２０が円筒形状に設けられるが、貯蔵室を形成することができるように多角形の筒形状に設けることもできる。
【００５１】
　以上、本発明に係る好適な実施の形態について説明したが、本発明はかかる構成に限定されない。当業者であれば、特許請求の範囲に記載された技術思想の範囲内において、各種の修正例および変更例を想定し得るものであり、それらの修正例および変更例についても本発明の技術範囲に包含されるものと了解される。
【図面の簡単な説明】
【００５２】
【図１】本発明の第１実施形態による冷蔵庫の斜視図である。
【図２】図１の冷蔵庫の分解斜視図である。
【図３】図２の冷蔵庫の回転軸部の斜視図である。
【図４】図１の冷蔵庫のＩＶ−ＩＶ断面図である。
【図５】本発明の第２実施形態による冷蔵庫の斜視図である。
【図６】本発明の第３実施形態による冷蔵庫の断面図である。
【図７】本発明の第４実施形態による冷蔵庫の断面図である。
【符号の説明】
【００５３】
　１　　　　　 冷蔵庫
　１０　　　　 上部キャビネット
　１１　　　 　貯蔵室
　１２　　　 　ドア
　１４　　　 　回転軸収容部
　１６　　　 　透視窓
　２０　　　 　下部キャビネット
　３０　　　 　ベース部材
　３１　　　 　ローラー
　４０　　　 　テーブル部材
　４１　　　 　回転軸結合部
　５０　　　 　回転軸部
　５１　　　 　第１中空管
　５２　　　 　冷気供給路
　５６　　　 　冷気排出路
　５７　　　 　冷気排出口
　５８　　　 　ベアリング
　５９　　　 　ブシュ
　６０　　　 　冷気発生部
　６１　　　 　冷却ファン
　６３　　　 　蒸発器
　６５　　　 　圧縮機
　６７　　　 　断熱部材
　７０　　　 　ペルチェ素子（冷却加熱素子）
　８０　　　 　中間キャビネット
【図１】
2004085188.tif 000003
【図２】
2004085188.tif 000004
【図３】
2004085188.tif 000005
【図４】
2004085188.tif 000006
【図５】
2004085188.tif 000007
【図６】
2004085188.tif 000008
【図７】
2004085188.tif 000009